(57)【特許請求の範囲】
【請求項１】
一時的に停止される圧縮装置（１１）と、
低温を蓄える蓄冷材（１７）を備え、前記圧縮装置が運転されているときに冷媒によって空気を冷却するとともに前記蓄冷材に蓄冷し、前記圧縮装置が停止されているときに前記蓄冷材によって冷媒および空気を冷却する第１の蒸発器（１６、３１６）と、
異なる複数の空間である主室および副室の一方に前記第１の蒸発器を通して送風する第１の送風機（２３）と、
前記圧縮装置が運転されているときに冷媒によって空気を冷却する第２の蒸発器（１９、３１９）と、
前記主室および前記副室の他方に前記第２の蒸発器を通して送風する第２の送風機（２４）と、
前記圧縮装置が停止されているときに、前記第２の蒸発器（１９、３１９）を経由して、前記第１の蒸発器（１６、３１６）に冷媒を流す放冷通路を形成する通路形成手段（２１）と、
前記第１の蒸発器または前記第２の蒸発器によって冷却され、主たる空調対象である前記主室に供給される空気の吹出温度（ＴＦ）に関連する指標を検出するセンサ（２５、２６）と、
前記センサにより検出された指標に基づいて、吹出温度が上限温度を超えることが判定されると前記圧縮装置を再起動する再起動手段（２７ａ）とを備えることを特徴とする蓄冷型空調装置。
【請求項２】
前記第２の蒸発器は、前記蓄冷材を持たない通常の蒸発器であることを特徴とする請求項１に記載の蓄冷型空調装置。
【請求項３】
前記圧縮装置が停止されているときに、前記第２の蒸発器を通過する風量を抑制する風量抑制手段（２７ｂ、３２７ｂ）を備えることを特徴とする請求項２に記載の蓄冷型空調装置。
【請求項４】
前記風量抑制手段（２７ｂ、３２７ｂ）は、前記第２の蒸発器を通過する風量を、前記第１の蒸発器を通過する風量より小さくなるように抑制することを特徴とする請求項３に記載の蓄冷型空調装置。
【請求項５】
前記第１の蒸発器と前記第２の蒸発器とは、前記圧縮装置に対して並列に接続されており、前記第２の蒸発器の上流側に設けられた膨張弁（２０）と並列に前記通路形成手段としてのバイパス通路（２１）が設けられていることを特徴とする請求項１から請求項４のいずれかに記載の蓄冷型空調装置。
【請求項６】
前記第１の蒸発器は、車両の前席空間に吹出される空気を冷却するように配置され、
前記第２の蒸発器は、車両の後席空間に吹出される空気を冷却するように配置されていることを特徴とする請求項１から請求項５のいずれかに記載の蓄冷型空調装置。
【請求項７】
前記第１の蒸発器は、車両の後席空間に吹出される空気を冷却するように配置され、
前記第２の蒸発器は、車両の前席空間に吹出される空気を冷却するように配置されていることを特徴とする請求項１から請求項５のいずれかに記載の蓄冷型空調装置。
【請求項８】
前記第１の蒸発器によって空調される空間と、前記第２の蒸発器によって空調される空間とを選択的に前記主室に設定する切換手段（５２７ｃ）を備えることを特徴とする請求項１から請求項７のいずれかに記載の蓄冷型空調装置。
【請求項９】
前記圧縮装置は、車両の走行用の動力源でもあるエンジンによって駆動され、前記車両が一時停車したときに前記エンジンのアイドルストップのために一時的に停止されることを特徴とする請求項１から請求項８のいずれかに記載の蓄冷型空調装置。
【発明の詳細な説明】
【技術分野】
【０００１】
本発明は、空調対象となる複数の空間に対応して複数の蒸発器を有し、それら蒸発器の少なくともひとつに蓄冷機能をもつ蓄冷型空調装置に関する。
【背景技術】
【０００２】
従来、蒸発器に蓄冷材を設けることにより、冷凍サイクル装置を運転しているときに得られる低温を蓄え、冷凍サイクル装置が停止しているときには、この蓄えられた低温を利用する蓄冷型空調装置が知られている。例えば、特許文献１ないし特許文献６のような蓄冷型空調装置が知られている。
【先行技術文献】
【特許文献】
【０００３】
【特許文献１】特開２００９−１８４４７８号公報
【特許文献２】特開２００９−２２９０１４号公報
【特許文献３】特開２００９−２９８３９０号公報
【特許文献４】特開２０１０−９１２５０号公報
【特許文献５】特許４０４３７７６号
【特許文献６】特開平１０−１５７４４９号公報
【発明の概要】
【発明が解決しようとする課題】
【０００４】
特許文献１、特許文献２、および特許文献３は、蓄冷熱交換器と蒸発器とを備える蓄冷型熱交換器を開示している。しかし、デュアルエアコンと呼ばれるような複数の空間を空調する空調装置への適用は開示されていない。また、これら特許文献１ないし特許文献３に記載の構成では、複数の空間のそれぞれに対応して蓄冷熱交換器と蒸発器との両方を設けることとなる。このため、安価な蓄冷型空調装置を提供することが困難であった。
【０００５】
特許文献４は、蓄冷熱交換器によって複数の空間を空調する構成を開示している。しかし、この構成では、両方の空間に対応して、それぞれに蓄冷熱交換器を備えている。この構成では、２つ分の蓄冷熱交換器が必要となるという問題点があった。
【０００６】
特許文献５は、通常の蒸発器と、蓄冷できる蒸発器とをもつ空調装置を開示している。しかし、これら２つの蒸発器は、ひとつの空気案内ダクト内に並列に配置されている。このため、複数の空間を空調することができない。
【０００７】
特許文献６は、通常の蒸発器と、蓄冷できる蒸発器とをもつ空調装置を開示している。しかも、通常の蒸発器は運転室に対応して配置され、蓄冷できる蒸発器は仮眠室に対応して配置されている。しかし、特許文献４が開示する装置では、冷凍サイクル装置が停止している期間に、蓄冷できる蒸発器によって仮眠室を空調するだけである。そして、蓄冷できる蒸発器の低温がなくなっても、冷凍サイクル装置を再起動することはない。このため、室温を低下させることができなくなり、快適性が損なわれるという問題点があった。
【０００８】
本発明は上記問題点に鑑みてなされたものであり、その目的は、異なる複数の空間に快適な空調を提供することができる蓄冷型空調装置を提供することである。
【０００９】
本発明の他の目的は、比較的簡単で安価な構成によって複数の空間に快適な空調を提供することができる蓄冷型空調装置を提供することである。
【課題を解決するための手段】
【００１０】
本発明は上記目的を達成するために以下の技術的手段を採用する。
【００１１】
請求項１に記載の発明は、一時的に停止される圧縮装置（１１）と、低温を蓄える蓄冷材（１７）を備え、圧縮装置が運転されているときに冷媒によって空気を冷却するとともに蓄冷材に蓄冷し、圧縮装置が停止されているときに蓄冷材によって冷媒および空気を冷却する第１の蒸発器（１６、３１６）と、異なる複数の空間である主室および副室の一方に第１の蒸発器を通して送風する第１の送風機（２３）と、圧縮装置が運転されているときに冷媒によって空気を冷却する第２の蒸発器（１９、３１９）と、主室および副室の他方に第２の蒸発器を通して送風する第２の送風機（２４）と、圧縮装置が停止されているときに、第２の蒸発器（１９、３１９）を経由して、第１の蒸発器（１６、３１６）に冷媒を流す放冷通路を形成する通路形成手段（２１）と、第１の蒸発器または第２の蒸発器によって冷却され、主たる空調対象である主室に供給される空気の吹出温度（ＴＦ）に関連する指標を検出する温度センサ（２５、２６）と、温度センサにより検出された指標に基づいて、吹出温度が上限温度を超えることが判定されると圧縮装置を再起動する再起動手段（２７ａ）とを備えることを特徴とする。
【００１２】
この構成によると、圧縮装置が一時的に停止されているときでも、第１の蒸発器は蓄冷材によって空気を冷却し、空調を継続する。また、圧縮装置が一時的に停止されているときには、蓄冷材によって第１の蒸発器内の冷媒が冷却される。これにより、第２の蒸発器を経由して第１の蒸発器へ冷媒が流れる。このため、圧縮装置が一時的に停止されているときでも、第２の蒸発器は空気を冷却し、空調を継続することができる。さらに、主室に供給される空気の吹出温度に関連する指標が検出され、この吹出温度に関連する指標に基づいて、吹出温度が上限温度を超えることが判定されると圧縮装置が再起動される。これにより、主室への吹出温度が過剰に上昇して、快適性が損なわれることを回避することができる。また、副室への吹出温度の上昇に応答して圧縮装置が再起動されることが回避される。したがって、過剰な頻度で圧縮装置が再起動されることが抑制される。この結果、一時的な圧縮装置の停止による利点を十分に引き出すことができる。
【００１３】
請求項２に記載の発明は、第２の蒸発器は、蓄冷材を持たない通常の蒸発器であることを特徴とする。この構成によると、第２の蒸発器に蓄冷材を設けることなく、圧縮装置が一時的に停止されているときでも、第２の蒸発器によって空気を冷却できる。したがって、簡単な安価な構成により複数の空間に快適な空調を提供することができる。
【００１４】
請求項３に記載の発明は、圧縮装置が停止されているときに、第２の蒸発器を通過する風量を抑制する風量抑制手段（２７ｂ、３２７ｂ）を備えることを特徴とする。この構成によると、圧縮装置が一時的に停止されているときでも、第２の蒸発器によって冷却された空気の吹出温度の上昇を抑制することができる。第２の蒸発器は蓄冷材をもたない。しかし、第２の蒸発器を通過する風量を抑制することにより、第２の蒸発器によって冷却された空気の吹出温度を、蓄冷材をもつ第１の蒸発器によって冷却された空気の吹出温度に近づけることができる。
【００１５】
請求項４に記載の発明は、風量抑制手段（２７ｂ、３２７ｂ）は、第２の蒸発器を通過する風量を、第１の蒸発器を通過する風量より小さくなるように抑制することを特徴とする。この構成によると、蓄冷材をもたない第２の蒸発器を通過する風量が、蓄冷材をもつ第１の蒸発器を通過する風量より小さくなるように抑制される。よって、第２の蒸発器によって冷却された空気の吹出温度を、第１の蒸発器によって冷却された空気の吹出温度に近づけることができる。
【００１６】
請求項５に記載の発明は、第１の蒸発器と第２の蒸発器とは、圧縮装置に対して並列に接続されており、第２の蒸発器の上流側に設けられた膨張弁（２０）と並列に通路形成手段としてのバイパス通路（２１）が設けられていることを特徴とする。この構成によると、圧縮装置が停止されているときに、第２の蒸発器の上流側に設けられた膨張弁が閉じても、バイパス通路によって、放冷通路を形成することができる。
【００１７】
請求項６に記載の発明は、第１の蒸発器は、車両の前席空間に吹出される空気を冷却するように配置され、第２の蒸発器は、車両の後席空間に吹出される空気を冷却するように配置されていることを特徴とする。この構成によると、前席空間を蓄冷材をもつ第１の蒸発器によって空調することができる。この結果、車両の前席空間に快適な空調を提供できる。
【００１８】
請求項７に記載の発明は、第１の蒸発器は、車両の後席空間に吹出される空気を冷却するように配置され、第２の蒸発器は、車両の前席空間に吹出される空気を冷却するように配置されていることを特徴とする。この構成によると、後席空間を蓄冷材をもつ第１の蒸発器によって空調することができる。この結果、車両の後席空間に快適な空調を提供できる。
【００１９】
請求項８に記載の発明は、第１の蒸発器によって空調される空間と、第２の蒸発器によって空調される空間とを選択的に主室に設定する切換手段（５２７ｃ）を備えることを特徴とする。この構成によると、利用者の指示に応じて主室を選択することができる。この結果、利用者の利便性を向上することができる。
【００２０】
請求項９に記載の発明は、圧縮装置は、車両の走行用の動力源でもあるエンジンによって駆動され、車両が一時停車したときにエンジンのアイドルストップのために一時的に停止されることを特徴とする。この構成によると、エンジンの燃料消費を節減するためにエンジンを一時的に停止することがあっても、車両の室内の空調を継続することができる。さらに、主室の快適性を損なうことなく、アイドルストップによる燃料消費の節減効果を引き出すことができる。
【００２１】
なお、特許請求の範囲および上記手段の項に記載した括弧内の符号は、ひとつの態様として後述する実施形態に記載の具体的手段との対応関係を示すものであって、本発明の技術的範囲を限定するものではない。
【図面の簡単な説明】
【００２２】
【図１】本発明を適用した第１実施形態に係る蓄冷型空調装置の多室空調の運転状態を示すブロック図である。
【図２】第１実施形態に係る蓄冷型空調装置の主室単独空調の運転状態を示すブロック図である。
【図３】第１実施形態に係る蓄冷型空調装置の放冷運転状態を示すブロック図である。
【図４】第１実施形態に係る蓄冷型空調装置の吹出温度の変化を示すグラフであって、４Ａは圧縮装置の作動状態を示し、４Ｂは主室の吹出温度を示し、４Ｃは副室の吹出温度を示す。
【図５】本発明を適用した第２実施形態に係る蓄冷型空調装置の主室単独空調の運転状態を示すブロック図である。
【図６】本発明を適用した第３実施形態に係る蓄冷型空調装置の多室空調の運転状態を示すブロック図である。
【図７】第３実施形態に係る蓄冷型空調装置の主室単独空調の運転状態を示すブロック図である。
【図８】第３実施形態に係る蓄冷型空調装置の放冷運転状態を示すブロック図である。
【図９】第３実施形態に係る蓄冷型空調装置の吹出温度の変化を示すグラフであって、４Ａは圧縮装置の作動状態を示し、４Ｂは主室の吹出温度を示し、４Ｃは副室の吹出温度を示す。
【図１０】本発明を適用した第４実施形態に係る蓄冷型空調装置の主室単独空調の運転状態を示すブロック図である。
【図１１】本発明を適用した第５実施形態に係る蓄冷型空調装置を示すブロック図である。
【発明を実施するための形態】
【００２３】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組合せが可能であることを明示している部分同士の組合せばかりではなく、特に組合せに支障が生じなければ、明示してなくとも実施形態同士を部分的に組み合せることも可能である。
【００２４】
（第１実施形態）
図１は、本発明を適用した第１実施形態に係る蓄冷型空調装置１の多室空調の運転状態を示すブロック図である。蓄冷型空調装置１は、乗員室を空調する車両用空調装置である。蓄冷型空調装置１は、乗員室内に設定された異なる複数の空間を異なる温度に空調することができるデュアルエアコンと呼ばれる空調装置である。
【００２５】
蓄冷型空調装置１は、空調対象となる空間に供給される空気を少なくとも冷却する冷凍サイクル装置２を備える。冷凍サイクル装置２は、複数の機器と配管とによって冷媒が循環する冷凍サイクルを構成している。冷凍サイクル装置２は、冷媒を吸引し、圧縮し、吐出する圧縮装置１１を備える。圧縮装置１１は、圧縮機１２と、逆止弁１３と、エンジン（ＥＮＧ）１４とを備える。圧縮機１２は、冷凍サイクルの低圧側から冷媒を吸引し、圧縮して、高圧側に吐出する。逆止弁１３は、圧縮機１２の吸入部に設けられている。逆止弁１３は、圧縮機１２が停止しているときに高圧側から低圧側への冷媒の逆流を阻止する。
【００２６】
エンジン１４は、圧縮装置１１の動力源である。エンジン１４は、ベルト機構のような動力伝達機構を通して圧縮機１２を駆動する。エンジン１４は、車両の走行用の動力源でもある。圧縮装置１１は、車両が一時停車したときにエンジン１４のアイドルストップのために一時的に停止されることがある。
【００２７】
冷凍サイクル装置２は、圧縮装置１１から吐出された高圧冷媒から放熱させ、冷媒を冷却する放熱器１５を備える。冷媒として凝縮性の冷媒が用いられる場合、放熱器１５は凝縮器とも呼ばれる。
【００２８】
冷凍サイクル装置２が提供する冷媒の通路は、圧縮機１２と放熱器１５とが配置された共通通路部分と、この共通通路部分に対して並列に設けられた複数の並列通路とを有している。冷凍サイクル装置２が提供する冷媒の通路は、放熱器１５の下流において複数の並列通路に分岐している。複数の並列通路のそれぞれには、蒸発器が設けられている。複数の並列通路は、蒸発器の下流において合流している。合流した通路は、圧縮装置１１に連通している。
【００２９】
第１の並列通路には、蓄冷蒸発器１６が設けられている。蓄冷蒸発器１６は、第１の蒸発器とも呼ばれる。蓄冷蒸発器１６は、冷媒の通路と、空気の通路とを備える。蓄冷蒸発器１６は、冷媒と空気との間での熱交換を提供する。さらに、蓄冷蒸発器１６は、低温を蓄える蓄冷材１７を備える。蓄冷材１７は、通路を流れる冷媒と直接的に、および／または間接的に熱交換可能に設けられている。蓄冷材１７は、通路を流れる空気と直接的に、および／または間接的に熱交換可能に設けられている。蓄冷材１７は、冷媒と熱交換することによって冷却されるように設けられている。蓄冷材１７は、冷媒と空気との両方と直接的に、および／または間接的に熱交換することによって、その低温によって冷媒と空気との両方を冷却するように設けられている。蓄冷蒸発器１６は、圧縮装置１１が運転されているときに冷媒によって空気を冷却するとともに蓄冷材１７に蓄冷する。蓄冷蒸発器１６は、圧縮装置１１が停止されているときに蓄冷材１７によって冷媒および空気を冷却する。蓄冷蒸発器１６の構造に関しては、特許文献４（特開２０１０−９１２５０号）に開示された構成を採用することができ、その記載を参照により導入することができる。
【００３０】
蓄冷蒸発器１６は、乗員室のうちの主たる空調空間、すなわち主室に向けて供給される空気と熱交換するように配置されている。主室は、乗員室内における運転席空間、または客席空間である。この実施形態では、主室は、運転席空間、すなわち前席空間である。よって、蓄冷蒸発器１６は、主室である前席空間を空調する主室用蒸発器でもある。
【００３１】
冷凍サイクル装置２は、蓄冷蒸発器１６と放熱器１５との間に膨張弁１８を備える。膨張弁１８は、蓄冷蒸発器１６の出口部位における冷媒過熱度を適正値に維持するように冷媒流量を調節する。膨張弁１８は、温度感応型の膨張弁によって提供することができる。圧縮機１２が停止すると圧縮機１２の吸い込み側の圧力が上昇する。このため、圧縮機１２が停止すると、膨張弁１８は自動的に閉弁する。
【００３２】
第２の並列通路には、通常の蒸発器１９が設けられている。蒸発器１９は、第２の蒸発器とも呼ばれる。蒸発器１９は、蓄冷材を持たない。蒸発器１９は、圧縮装置１１が運転されるときに冷媒によって空気を冷却する。蓄冷蒸発器１６は、蓄冷材１７を備えるために、専用設計されたものである。しかし、蒸発器１９は、広く多くの車両に搭載される他の形式の空調装置にも利用されているものである。この構成は、安価な冷凍サイクル装置２を提供するために貢献する。
【００３３】
蒸発器１９は、乗員室のうちの予備的な空調空間、すなわち副室に向けて供給される空気と熱交換するように配置されている。副室は、乗員室内における助手席空間、または後席空間、および／または飲料などの貯蔵空間でもよい。この実施形態では、副室は、後席空間である。よって、蒸発器１９は、副室である後席空間を空調する副室用蒸発器でもある。
【００３４】
冷凍サイクル装置２は、蒸発器１９と放熱器１５との間に膨張弁２０を備える。膨張弁２０は、蒸発器１９の出口部位における冷媒過熱度を適正値に維持するように冷媒流量を調節する。膨張弁２０は、温度感応型の膨張弁によって提供することができる。冷凍サイクル装置２は、膨張弁２０と並列に設けられ、膨張弁２０が閉じているときでも冷媒を流すことができるバイパス通路２１を備える。バイパス通路２１は、膨張弁２０の弁部の上流と下流とを連通するブリードポートによって提供することができる。
【００３５】
バイパス通路２１とそれを区画する部材は、圧縮装置１１が停止されているときに、蒸発器１９を経由して、蓄冷蒸発器１６に冷媒を流す放冷通路を形成する通路形成手段である。蓄冷蒸発器１６と通常の蒸発器１９とは、圧縮装置１１に対して並列に接続されている。通常の蒸発器１９だけに直列になるように、蒸発器１９の上流側に膨張弁２０が設けられている。この膨張弁２０には、並列に通路形成手段としてのバイパス通路２１が設けられている。この構成によると、圧縮装置１１が停止されているときに、蒸発器１９の上流側に設けられた膨張弁２０が閉じても、バイパス通路２１によって、放冷通路を形成することができる。
【００３６】
冷凍サイクル装置２は、第２の並列通路に電磁弁２２を備える。電磁弁２２は、第２の並列通路における冷媒の流通を断続することができる。したがって、電磁弁２２が開いているときには、第２の並列通路、およびそこに設けられた蒸発器１９に冷媒が流れる。一方、電磁弁２２が閉じているときには、第２の並列通路、およびそこに設けられた蒸発器１９には冷媒が流れない。
【００３７】
蓄冷型空調装置１は、主室に向けて、蓄冷蒸発器１６を通して送風する送風機２３を備える。蓄冷型空調装置１は、副室に向けて、蒸発器１９を通して送風する送風機２４を備える。蓄冷空調装置１は、蓄冷蒸発器１６の下流に設けられた温度センサ２５を備える。温度センサ２５は、蓄冷蒸発器１６によって冷却された空気の温度を検出する手段である。また、蓄冷蒸発器１６によって冷却された空気の温度は、主室への吹出温度にも影響を与える。特に冷房時には、吹出温度は、蓄冷蒸発器１６によって冷却された空気の温度にほぼ比例する。よって、温度センサ２５は、主室への吹出温度に関連する指標を検出する手段でもある。蓄冷空調装置１は、蒸発器１９の下流に設けられた温度センサ２６を備える。温度センサ２６は、蒸発器１９によって冷却された空気の温度を検出する手段である。また、蒸発器１９によって冷却された空気の温度は、副室への吹出温度にも影響を与える。特に冷房時には、吹出温度は、蒸発器１９によって冷却された空気の温度にほぼ比例する。よって、温度センサ２６は、副室への吹出温度に関連する指標を検出する手段でもある。
【００３８】
蓄冷型空調装置１は、空調制御装置（ＡＣＵ）２７を備える。空調制御装置２７は、蓄冷型空調装置１における複数のセンサ、スイッチなどの検出手段から信号を入力し、複数の電気機器などの駆動手段に制御信号を出力することにより蓄冷型空調装置１を制御する。空調制御装置２７は、温度センサ２５、２６から吹出温度を示す信号を入力する。ここで、温度センサ２５は、蓄冷蒸発器１６によって冷却され、主たる空調対象である主室に供給される空気の吹出温度ＴＦを検出する。空調制御装置２７は、圧縮装置１１から圧縮機１２の運転、および停止を示す信号を入力する。空調制御装置２７は、少なくとも、圧縮装置１１、電磁弁２２、および送風機２４に制御信号を出力する。さらに、空調制御装置２７は、送風機２３、図示されない主室用の温水加熱装置、および副室用の温水加熱装置を制御する。
【００３９】
空調制御装置２７は、温度センサ２５によって検出される主室への吹出温度ＴＦに応答して、圧縮装置１１の再起動を圧縮装置１１に指令する再起動手段（ＲＳＭ）２７ａを備える。再起動手段２７ａにより、吹出温度ＴＦに関連する指標に基づいて、吹出温度ＴＦが上限温度を超えることが判定されると圧縮装置１１が再起動される。具体的には、吹出温度ＴＦが所定の閾値温度を超えると圧縮装置１１が再起動される。圧縮装置１１の再起動は、エンジン１４の再始動によって実行される。これに代えて、圧縮装置１１の再起動は、エンジン１４と圧縮機１２との間の動力伝達機構の再接続によって実行されてもよい。この実施形態では、空調制御装置２７は、温度センサ２６によって検出される副室への吹出温度ＴＲに応答して圧縮装置１１の再起動を指令することはない。
【００４０】
さらに、空調制御装置２７は、放冷運転の期間中において蒸発器１９を通る風量を抑制する風量抑制手段（ＶＲＭ）２７ｂを備える。風量抑制手段２７ｂは、圧縮機１２が停止している期間中の風量を通常時の風量より小さい量に抑制するように送風機２４を制御する。通常時の風量は、例えば、副室の空調熱負荷に応じて設定される風量である。風量抑制手段２７ｂは、圧縮機１２が停止している期間中の風量（図３の運転状態における風量）を、通常時の風量（図１の運転状態における風量）より小さい量に抑制するように送風機２４を制御することができる。風量抑制手段２７ｂは、多室空調が選択されているときに、アイドルストップ制御のために圧縮機１２が停止されると、蒸発器１９を通過する風量が、蓄冷蒸発器１６を通過する風量より小さくなるように送風機２３、２４を制御する。この構成によると、蓄冷材１７をもたない蒸発器１９を通過する風量が、蓄冷材１７をもつ蓄冷蒸発器１６を通過する風量より小さくなるように抑制される。よって、蒸発器１９によって冷却された空気の吹出温度を、蓄冷蒸発器１６によって冷却された空気の吹出温度に近づけることができる。
【００４１】
エンジン１４は、燃料の消費を抑制するために、自動的に停止され、自動的に再始動される。例えば、車両が交通信号において停車した場合に、エンジン１４は自動的に停止され、運転者の所定の操作によって自動的に再始動される。このようなエンジン制御は、例えば、アイドルストップ制御、アイドリングストップアンドスタート制御とも呼ばれる。このようなエンジン２の自動停止再始動制御は、エンジン制御装置（ＥＣＵ）２８によって実行される。したがって、エンジン制御装置２８は、圧縮装置１１を自動的に停止させる停止手段を提供する。また、再起動手段２７ａからの指令に応答してエンジン１４を再始動する場合、エンジン制御装置２８は、再起動手段２７ａの一部として機能する。
【００４２】
制御装置２７、２８は、コンピュータによって読み取り可能な記憶媒体を備えるマイクロコンピュータによって提供される。記憶媒体は、コンピュータによって読み取り可能なプログラムを格納している。記憶媒体は、メモリによって提供されうる。プログラムは、制御装置によって実行されることによって、制御装置をこの明細書に記載される装置として機能させ、この明細書に記載される制御方法を実行するように制御装置を機能させる。制御装置が提供する手段は、所定の機能を達成する機能的ブロック、またはモジュールとも呼ぶことができる。
【００４３】
図１には、圧縮装置１１を運転することによって、主室と副室との両方を空調するときの冷媒の流れと、空気の流れとが矢印によって図示されている。このとき、冷媒は、膨張弁１８によって減圧され、蓄冷蒸発器１６において蒸発する。この結果、冷媒は、運転席空間に供給される空気を冷却するとともに、蓄冷材１７を冷却する。これにより、主室が空調されるとともに、蓄冷材１７には冷温が蓄えられる。一方、開かれた電磁弁２２を通過した冷媒は、膨張弁２０によって減圧され、蒸発器１９において蒸発する。この結果、冷媒は、後席空間に供給される空気を冷却する。これにより、副室が空調される。図示される運転状態は、主室および副室の両方を空調しながら蓄冷材１７に蓄冷する第１の蓄冷運転状態と呼ばれる。
【００４４】
蓄冷蒸発器１６は、車両の前席空間に吹出される空気を冷却するように配置され、通常の蒸発器１９は、車両の後席空間に吹出される空気を冷却するように配置されている。この構成によると、前席空間を蓄冷材をもつ蓄冷蒸発器１６によって空調することができる。この結果、車両の前席空間に快適な空調を提供できる。
【００４５】
図２は、第１実施形態に係る蓄冷型空調装置の主室単独空調の運転状態を示すブロック図である。図中には、圧縮装置１１を運転することによって、主室だけを空調するときの冷媒の流れと、空気の流れとが矢印によって図示されている。このとき、冷媒は、膨張弁１８によって減圧され、蓄冷蒸発器１６において蒸発する。この結果、冷媒は、運転席空間に供給される空気を冷却するとともに、蓄冷材１７を冷却する。これにより、主室が空調されるとともに、蓄冷材１７には冷温が蓄えられる。一方、電磁弁２２は閉じられている。また、送風機２４は停止している。この結果、蒸発器１９には、冷媒も空気も流れない。図示される運転状態は、主室だけを空調しながら蓄冷材１７に蓄冷する第２の蓄冷運転状態と呼ばれる。主室は運転席空間である。このため、冷凍サイクル装置２は、主室を空調するために運転される機会が多い。この実施形態では、蓄冷蒸発器１６を主室に対応して設けているから、蓄冷材１７に蓄冷される機会が多い。
【００４６】
図３は、第１実施形態に係る蓄冷型空調装置の放冷運転状態を示すブロック図である。このとき、圧縮装置１１は停止している。空調制御装置２７は、エンジン制御装置２８によってエンジン１４が一時的に自動停止され、圧縮機１２が停止している期間において、図示の運転状態を提供する。このとき、蓄冷蒸発器１６においては、蓄冷材１７に蓄えられた冷温によってそこを通過する空気が冷却される。この結果、蓄冷材１７は、運転席空間に供給される空気を冷却する。これにより、主室が空調される。
【００４７】
一方、蓄冷材１７は、蓄冷蒸発器１６を低温に維持しようとするから、蓄冷蒸発器１６内に冷媒が凝縮してゆく。この結果、蓄冷蒸発器１６の内部が低圧化され、冷凍サイクル装置２内の冷媒が蓄冷蒸発器１６に吸入される。冷媒は、冷凍サイクル装置２の高圧部分から、電磁弁２２、バイパス通路２１、および蒸発器１９を経由して、蓄冷蒸発器１６に流入する。このとき、蒸発器１９を流れる冷媒は、蒸発し、蒸発器１９を低温に維持する。圧縮装置１１が停止している状態であっても、蒸発器１９は蓄冷材１７の蓄冷量に応じた時間だけ副室に供給される空気を冷却する。図示される運転状態は、蓄冷材１７の放冷によって主室および副室の両方を空調する放冷運転状態と呼ばれる。
【００４８】
図４は、第１実施形態に係る蓄冷型空調装置１の吹出温度の変化を示すグラフである。図４Ａは圧縮装置１１の作動状態を示す。図４Ｂは主室の吹出温度ＴＦを示す。図４Ｃは副室の吹出温度ＴＲを示す。横軸は、時間である。圧縮機１２が運転されているＯＮ状態では、吹出温度ＴＦ、ＴＲは、低い温度に維持されている。
【００４９】
時刻ｔ１において車両が一時停車すると、エンジン制御装置２８は、アイドルストップ制御のためにエンジン１４を自動的に停止させる。これにより、圧縮機１２も停止し、ＯＦＦ状態となる。ＯＦＦ状態においては、空調制御装置２７は、図３の放冷運転状態によって蓄冷空調装置１を運転する。このとき、膨張弁１８は、圧縮機１２の停止による低圧圧力の上昇に応答して通路を閉じる。この結果、膨張弁１８は、放熱器１５の下流から蓄冷蒸発器１６への直接的な連通を遮断する遮断手段を提供する。この結果、蓄冷材１７が徐々に放冷する。時刻ｔ１から、吹出温度ＴＦは、実線で図示されるように、徐々に上昇する。しかし、蓄冷材１７による冷却効果があるため、破線で図示されるように急激に上昇することがない。この結果、車両が一時停車している期間のうちの長い期間において吹出温度ＴＦを所定の閾値温度として設定された上限温度ＴＨ以下に維持することができる。
【００５０】
上限温度ＴＨは、冷房運転時において、車両の乗員が皮膚の温度感覚によって、温度の上昇を明確に感じ取り、不快感を訴える温度である。例えば、冷房時の上限温度は＋１５°Ｃ程度に設定することができる。
【００５１】
一方、時刻ｔ１から、副室の吹出温度ＴＲも徐々に上昇する。このとき、冷媒は、冷凍サイクル装置２の高圧側から蒸発器１９を通って蓄冷蒸発器１６に流れ込む。したがって、蒸発器１９にも冷媒が流れ、わずかに蒸発する。このため、吹出温度ＴＲは、破線で示されるように急激に上昇することがない。風量抑制手段２７ｂは、圧縮機１２が停止している期間中の風量を通常時の風量より小さい量に抑制するように送風機２４を制御する。圧縮機１２が停止しているときに通常の風量を供給すると、吹出温度ＴＲは、一点鎖線のように速く上昇する。しかし、風量を抑制することにより、吹出温度ＴＲの上昇は、実線で図示されるように、さらにゆっくりになる。この結果、車両が一時停車している期間のうちの長い期間において吹出温度ＴＲを所定の上限温度ＴＨ以下に維持することができる。
【００５２】
ここで、空調制御装置２７は、蒸発器１９を通過する風量を所定の風量にするように送風機２４を制御する風量抑制手段を備えることができる。抑制された所定の風量は、固定とすることができる。また、抑制された所定の風量は、可変とすることができる。例えば、通常時の風量の数十パーセントとすることができる。また、空調制御装置２７は、吹出温度ＴＲの上昇を、吹出温度ＴＦの上昇と同程度に抑制するように、送風機２４を制御する風量制御手段を備えることができる。
【００５３】
やがて、時刻ｔ２において、主室の吹出温度ＴＦが上限温度ＴＨに到達する。空調制御装置２７の再起動手段２７ａは、主室の吹出温度ＴＦが上限温度ＴＨに到達したことを検出する検出手段を構成する。さらに、再起動手段２７ａは、吹出温度ＴＦが上限温度ＴＨに到達すると、圧縮装置１１を再起動する。ここでは、エンジン１４を再始動させることにより、圧縮機１２を再起動する。これにより、再び、圧縮機１２が運転されているＯＮ状態となる。この結果、蓄冷蒸発器１６と蒸発器１９には、十分な量の冷媒が供給され、吹出温度ＴＦ、ＴＲは、低い温度に向けて低下してゆく。
【００５４】
この実施形態によると、主室に対応して蓄冷蒸発器１６を設けた。これにより、圧縮装置１１が一時的に停止されているときでも、蓄冷蒸発器１６は蓄冷材１７によって空気を冷却し、空調を継続する。また、副室に対応して蒸発器１９を設けた。さらに、蓄冷蒸発器１６における放冷運転時に、蒸発器１９にも冷媒が流れるように冷凍サイクル装置２を構成した。具体的には、圧縮機１２が停止されている時に、冷凍サイクル装置２の高圧側から蒸発器１９を経由して蓄冷蒸発器１６に到達できる冷媒の放冷通路を形成した。この通路には、バイパス通路２１が含まれている。圧縮装置１１が一時的に停止されているときには、蓄冷材１７によって蓄冷蒸発器１６内の冷媒が冷却される。これにより、蒸発器１９を経由して蓄冷蒸発器１６へ冷媒が流れる。このため、圧縮装置１１が一時的に停止されているときでも、蒸発器１９は空気を冷却し、空調を継続することができる。このような構成は、比較的安価な構成によって複数の空間に快適な空調を提供することを可能とする。
【００５５】
さらに、主室の吹出温度ＴＦに応答して圧縮装置１１が再起動される。つまり、蒸発器１９に起因する吹出温度ＴＲの上昇に応答して圧縮装置１１が再起動されない。このため、圧縮装置１１の過剰な再起動を抑制することができる。しかも、吹出温度ＴＦが上限温度ＴＨに到達すると圧縮装置１１が再起動される。したがって、主室に快適な空調を提供することができる。エンジン１４の燃料消費を節減するためにエンジン１４を一時的に停止することがあっても、車両の室内の空調を継続することができる。さらに、主室の快適性を損なうことなく、アイドルストップによる燃料消費の節減効果を引き出すことができる。
【００５６】
さらに、放冷運転においては、副室に送風する風量を抑制することによって、副室への吹出温度ＴＲの上昇を抑制している。このため、副室を空調するために通常の蒸発器１９を用いていても、吹出温度ＴＲの急速な上昇を回避できる。この結果、副室においても急激な温度感覚の悪化を抑制することができる。
【００５７】
（第２実施形態）
図５は、本発明を適用した第２実施形態に係る蓄冷型空調装置の主室単独空調の運転状態を示すブロック図である。先行する実施形態においては、主室単独のための運転状態においては、電磁弁２２を閉じて蒸発器１９への冷媒供給を遮断した。これに代えて、電磁弁２２を備えない構成を採用してもよい。この実施形態では、主室単独のための運転状態においては、空調制御装置２７は送風機２４を停止させる。このため、副室は空調されない。ただし、電磁弁２２を備えないため、この運転状態においても、蒸発器１９に冷媒が流れる。
【００５８】
（第３実施形態）
図６は、本発明を適用した第３実施形態に係る蓄冷型空調装置１の多室空調の運転状態を示すブロック図である。図７は、第３実施形態に係る蓄冷型空調装置１の主室単独空調の運転状態を示すブロック図である。図８は、第３実施形態に係る蓄冷型空調装置１の放冷運転状態を示すブロック図である。図９は、第３実施形態に係る蓄冷型空調装置の吹出温度の変化を示すグラフである。図９Ａは圧縮装置１１の作動状態を示す。図９Ｂは主室の吹出温度ＴＦを示す。図９Ｃは副室の吹出温度ＴＲを示す。
【００５９】
先行する実施形態では、主室に対応して蓄冷蒸発器１６を設けた。これに代えて、この実施形態では、冷凍サイクル装置２は、主室に対応して通常の蒸発器３１９を備える。また、冷凍サイクル装置２は、副室に対応して蓄冷蒸発器３１６を備える。蓄冷蒸発器３１６は、車両の後席空間に吹出される空気を冷却するように配置され、通常の蒸発器３１９は、車両の前席空間に吹出される空気を冷却するように配置されている。この構成によると、後席空間を蓄冷材をもつ蓄冷蒸発器３１６によって空調することができる。この結果、車両の後席空間に快適な空調を提供できる。
【００６０】
この実施形態でも、空調制御装置２７は、主室への吹出温度ＴＦに応答して圧縮装置１１を再起動する再起動手段２７ａを備える。空調制御装置２７は、放冷運転の期間中において蒸発器３１９を通る風量を抑制する風量抑制手段３２７ｂを備える。この実施形態によると、圧縮装置１１の再起動は、主室に対応して設けられた通常の蒸発器３１９により冷却された空気の吹出温度ＴＦに応答して実行される。具体的には、吹出温度ＴＦが所定の上限温度を超えると圧縮装置１１が再起動される。この実施形態でも、風量抑制手段３２７ｂによって主室へ送られる風量が抑制されるように送風機２３が制御される。このため、主室への吹出温度ＴＦの上昇がゆっくりに抑制される。吹出温度ＴＦの上昇がゆっくりになるから、主室の乗員は、吹出温度の上昇を感じ取りにくい。言い換えると、主室の乗員が、温度感覚の悪化、すなわち冷房感の悪化を感じ取りにくくなる。この結果、主室に快適な空調を提供することができる。一方、副室においては、蓄冷蒸発器３１６によって空気が十分に冷却される。よって、副室にも快適な空調を提供することができる。
【００６１】
この実施形態によると、副室に対応して蓄冷蒸発器３１６を設け、主室に対応して蒸発器３１９を設けた。さらに、蓄冷蒸発器３１６における放冷運転時に、蒸発器３１９にも冷媒が流れるように冷凍サイクル装置２を構成した。具体的には、圧縮機１２の停止時に、高圧側から蒸発器３１９を経由して蓄冷蒸発器３１６に到達できる冷媒の放冷通路を形成した。この通路には、バイパス通路２１が含まれている。このような構成は、比較的安価な構成によって複数の空間に快適な空調を提供することを可能とする。
【００６２】
さらに、主室の吹出温度ＴＦに応答して圧縮装置１１が再起動される。つまり、副室の蓄冷蒸発器３１６に起因する吹出温度ＴＲの上昇に応答して圧縮装置１１が再起動されない。このため、圧縮装置１１の過剰な再起動を抑制し、省エネルギーの効果を十分に引き出すことができる。しかも、吹出温度ＴＦが上限温度ＴＨに到達すると圧縮装置１１が再起動される。したがって、主室に快適な空調を提供することができる。
【００６３】
さらに、放冷運転においては、主室に送風する風量を抑制することによって、主室への吹出温度ＴＦの上昇を抑制している。このため、主室を空調するために通常の蒸発器３１９を用いていても、吹出温度ＴＦの急速な上昇を回避できる。この結果、主室においても急激な温度感覚の悪化を抑制することができる。
【００６４】
（第４実施形態）
図１０は、本発明を適用した第４実施形態に係る蓄冷型空調装置の主室単独空調の運転状態を示すブロック図である。前の実施形態においては、主室単独のための運転状態においては、電磁弁２２を閉じて蓄冷蒸発器３１６への冷媒供給を遮断した。これに代えて、電磁弁２２を備えない構成を採用してもよい。この実施形態では、主室単独のための運転状態においては、空調制御装置２７は送風機２４を停止させる。このため、副室は空調されない。ただし、電磁弁２２を備えないため、この運転状態においても、蓄冷蒸発器３１６に冷媒が流れる。よって、このときには、副室を空調することなく、蓄冷材１７と冷媒とが熱交換し、蓄冷材１７に低温が蓄えられる。
【００６５】
（第５実施形態）
図１１は、本発明を適用した第５実施形態に係る蓄冷型空調装置を示すブロック図である。先行する実施形態においては、乗員室の前席空間を主室とした。これに代えて、蓄冷蒸発器１６によって空調される空間と、蒸発器１９によって空調される空間とを選択的に主室に設定するように切換えてもよい。
【００６６】
図示の例においては、切換スイッチ５２７ｃが設けられている。切換スイッチ５２７ｃは、再起動手段２７ａに入力される信号を、温度センサ２５と、温度センサ２６との間で切換えている。これにより、再起動手段２７は、切換スイッチ５２７ｃによって選択された温度センサ２５または温度センサ２６のいずれかに応答して圧縮装置１１を再起動する。例えば、再起動手段２７は、切換スイッチ５２７ｃによって温度センサ２５が選択されるときには、前席空間を主室に設定し、そこへの吹出温度ＴＦが上限温度ＴＨに到達すると圧縮装置１１を再起動する。このとき、風量抑制手段２７ｂは、通常の蒸発器１９を通過する風量を抑制する。また、再起動手段２７は、切換スイッチ５２７ｃによって温度センサ２６が選択されるときには、後席空間を主室に設定し、そこへの吹出温度ＴＲが上限温度ＴＨに到達すると圧縮装置１１を再起動する。このとき、温度センサ２６は、蒸発器１９によって冷却され、主たる空調対象である主室に供給される空気の吹出温度ＴＲを検出する。このときも、風量抑制手段２７ｂは、通常の蒸発器１９を通過する風量を抑制する。
【００６７】
切換スイッチ５２７ｃは、空調による快適性の維持を優先すべき空間を指定する優先スイッチとも呼ぶことができる。再起動手段２７は、指定された空調空間への吹出温度が上限温度ＴＨ以下に維持されるように圧縮装置１１を再起動する。切換スイッチ５２７ｃは、蓄冷蒸発器１６によって空調される空間と、通常の蒸発器１９によって空調される空間とを選択的に主室に設定する切換手段を提供している。この構成によると、利用者の指示に応じて主室を選択することができる。この結果、利用者の利便性を向上することができる。
【００６８】
（他の実施形態）
以上、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００６９】
例えば、上記実施形態では、蓄冷蒸発器と通常蒸発器とを冷凍サイクルにおいて並列に配置した。これに代えて、蓄冷蒸発器と通常蒸発器とを冷凍サイクルにおいて直列に配置してもよい。また、上記実施形態では、動力源として、エンジン１４を用いたが、電動機を用いてもよい。また、上記実施形態では、冷凍サイクル装置２は、冷凍運転のみを提供した。これに代えて、冷凍運転とヒートポンプ運転との両方が可能な冷凍サイクル装置を採用してもよい。また、冷凍サイクル装置２は、冷媒を貯留するレシーバ、および／またはアキュムレータを備えることができる。
【００７０】
また、第３実施形態において、風量抑制手段３２７ｂを備えない構成を採用してもよい。この場合、吹出温度ＴＦ、ＴＲは、図９に一点鎖線で示すように変化する。この構成では、蒸発器３１９を通過する風量が抑制されない。したがって、吹出温度ＴＦは吹出温度ＴＲより速く上昇する。やがて時刻ｔ１２において吹出温度ＴＦが上限温度ＴＨを超えると、圧縮装置１１が再起動される。この構成においても、主室の吹出温度ＴＦの過剰な上昇を抑制しながら、主室の吹出温度ＴＦと副室の吹出温度ＴＲとの両方を上限温度ＴＨより低く維持することができる。
【００７１】
また、上記実施形態では、吹出温度に関連する指標として、蒸発器による冷却状態を示す指標でもある蒸発器の直後における空気の温度を採用した。これに代えて、吹出温度が上限温度を超えることを判定することができる種々の指標を採用することができる。例えば、吹出温度に関連する指標として、蓄冷蒸発器または通常の蒸発器の表面の温度を採用してもよい。この場合、熱交換用フィンの表面に設けた温度センサ、または冷媒チューブの表面に設けた温度センサにより蒸発器の表面温度を検出することができる。また、吹出温度に関連する指標として、蒸発器の内部における冷媒の低圧圧力を採用してもよい。この場合、蒸発器の内部、または蒸発器の下流における低圧配管内の冷媒圧力を検出する圧力センサにより低圧圧力を検出することができる。また、吹出温度に関連する指標として、蒸発器の内部における冷媒の温度、または蓄冷材の温度を採用してもよい。この場合、蒸発器の内部の代表的な位置における冷媒温度を検出する温度センサにより冷媒温度を検出することができる。また、蓄冷材の温度を検出する温度センサにより蓄冷材の温度を検出することができる。
【００７２】
例えば、制御装置が提供する手段と機能は、ソフトウェアのみ、ハードウェアのみ、あるいはそれらの組合せによって提供することができる。例えば、制御装置をアナログ回路によって構成してもよい。
【符号の説明】
【００７３】
１    蓄冷型空調装置
２    冷凍サイクル装置
１１  圧縮装置
１２  圧縮機
１３  逆止弁
１４  エンジン
１５  放熱器
１６  蓄冷蒸発器
１７  蓄冷材
１８  膨張弁
１９  蒸発器
２０  膨張弁
２１  バイパス通路
２２  電磁弁
２３  送風機
２４  送風機
２５  温度センサ
２６  温度センサ
２７  空調制御装置
２７ａ  再起動手段
２７ｂ  風量抑制手段
２８  エンジン制御装置
３１６  蓄冷蒸発器
３１９  蒸発器
３２７ｂ  風量抑制手段
５２７ｃ  切換スイッチ
【図１】
0005582080.tif 000002
【図２】
0005582080.tif 000003
【図３】
0005582080.tif 000004
【図４】
0005582080.tif 000005
【図５】
0005582080.tif 000006
【図６】
0005582080.tif 000007
【図７】
0005582080.tif 000008
【図８】
0005582080.tif 000009
【図９】
0005582080.tif 000010
【図１０】
0005582080.tif 000011
【図１１】
0005582080.tif 000012